(57)【要約】      （修正有）【課題】廃棄物固形燃料（ＲＤＦ）をガス化溶融炉によりガス化溶融処理する際に、ＲＤＦの粉化物がガス化溶融炉から下流側に飛散することを防止し、ガス化溶融炉内でガス化溶融処理されるＲＤＦの量を低下させることがないガス化溶融装置とその操業方法を提供する。【解決手段】炉下部に高温燃焼帯が形成され、前記高温燃焼帯に酸素含有ガスを吹き込む主羽口１Ｃと、廃棄物固形燃料を炉内へ供給する供給装置２と、ＲＤＦを熱分解及び部分酸化すると共に残渣を溶融するガス化溶融炉１とを有するガス化溶融装置であって、環境集塵ダストとともにＲＤＦの粉化物を回収する環境集塵機３３と、環境集塵機３３により回収された環境集塵ダスト及びＲＤＦの粉化物を羽口１Ｃから高温燃焼帯に吹き込む送風機２１とを備える。【選択図】図１
2011122805.tif 000002
【特許請求の範囲】
【請求項１】
炉下部に高温燃焼帯が形成され、前記高温燃焼帯に酸素含有ガスを吹き込む羽口と、廃棄物固形燃料を炉内へ供給する廃棄物固形燃料供給装置と、廃棄物固形燃料を熱分解及び部分酸化すると共に残渣を溶融するガス化溶融炉とを有するガス化溶融装置であって、
廃棄物固形燃料の粉化物を回収する粉化物回収装置と、前記粉化物回収装置により回収された廃棄物固形燃料の粉化物を前記羽口から高温燃焼帯に吹き込む吹込装置とを備えることを特徴とするガス化溶融装置。
【請求項２】
前記ガス化溶融炉から排出された排ガスから落下灰を回収する落下灰回収装置をさらに備え、
前記吹込装置は、前記廃棄物固形燃料の粉化物とともに、前記落下灰回収装置により回収された落下灰を前記羽口から高温燃焼帯に吹き込むことを特徴とする請求項１に記載のガス化溶融装置。
【請求項３】
前記ガス化溶融炉の周囲及びガス化溶融炉に供給する副資材の搬送設備の少なくとも一つからダストを集塵する環境集塵装置をさらに備え、
前記吹込装置は、前記廃棄物固形燃料の粉化物とともに、前記環境集塵装置により集塵したダストを前記羽口から高温燃焼帯に吹き込むことを特徴とする請求項１又は請求項２に記載のガス化溶融装置。
【請求項４】
炉下部に高温燃焼帯が形成され、前記高温燃焼帯に酸素含有ガスを吹き込む羽口を有し、廃棄物固形燃料を熱分解及び部分酸化すると共に残渣を溶融するガス化溶融装置の操業方法であって、
廃棄物固形燃料を炉内へ供給する際に廃棄物固形燃料の粉化物を回収する粉化物回収工程と、前記粉化物回収工程により回収された廃棄物固形燃料の粉化物を前記羽口から高温燃焼帯に吹き込む吹込工程とを有することを特徴とするガス化溶融装置の操業方法。
【請求項５】
前記吹込工程にて、前記廃棄物固形燃料の粉化物とともに、前記ガス化溶融炉から排出された排ガスから回収された落下灰を前記羽口から高温燃焼帯に吹き込むことを特徴とする請求項４に記載のガス化溶融装置の操業方法。
【請求項６】
前記吹込工程にて、前記廃棄物固形燃料の粉化物とともに、前記ガス化溶融炉の周囲及びガス化溶融炉に供給する副資材の搬送設備の少なくとも一つから集塵したダストを前記羽口から高温燃焼帯に吹き込むことを特徴とする請求項４又は請求項５に記載のガス化溶融装置の操業方法。
【発明の詳細な説明】
【技術分野】
【０００１】
本発明は、廃棄物固形燃料を熱分解及び部分酸化して残渣を溶融するガス化溶融装置及びその操業方法に関するものである。
【背景技術】
【０００２】
廃棄物を処理する技術として、都市ごみやシュレッダーダストなどの廃棄物を熱分解及び部分酸化して可燃性ガスを発生させ、熱分解及び部分酸化した残渣を溶融しスラグにして排出するガス化溶融処理がある。
【０００３】
この処理方法は、廃棄物をガス化することによりその燃焼熱を回収することができるとともに、残渣を溶融してスラグとして排出することにより、埋立処分などによる最終処分量を減容することができる利点を有している。このような処理を行なう溶融炉には幾つかの方式があるが、その一つとして、シャフト式廃棄物ガス化溶融炉がある。
【０００４】
このシャフト式廃棄物ガス化溶融炉は、例えば、炉底部に堆積させたコークスを燃焼させ、この高温のコークス上へ廃棄物を投入して、熱分解及び部分酸化させてガス化するとともに残渣を溶融してスラグにする処理を行なう方式の炉である（特許文献１参照）。
【０００５】
特許文献１のシャフト式廃棄物ガス化溶融炉においては、炉体の機能が大別して縦方向で３つに区分されている。すなわち、炉底部にコークスを堆積させた高温燃焼帯が設けられ、この高温燃焼帯の上に廃棄物堆積層が設けられ、炉体の上部にて大きな空間を有するフリーボード部が設けられている。
【０００６】
そして、上記各部では酸素含有ガスの吹込みが行われる。高温燃焼帯には主羽口が設けられ、投入されて堆積されたコークスを燃焼させて廃棄物の熱分解残渣を溶融するための酸素富化空気が吹き込まれる。また、廃棄物堆積層には副羽口が設けられ、投入されて堆積された廃棄物を緩やかに流動させると共に、廃棄物を熱分解及び部分酸化させるための空気が吹き込まれる。また、フリーボード部には三段目羽口が設けられ、廃棄物が熱分解されて生成した熱分解ガス（可燃性ガス）を部分燃焼させて内部を所定温度に維持するための空気が吹き込まれる。
【０００７】
このようにシャフト式廃棄物ガス化溶融炉は、廃棄物を一つの炉で熱分解ガス化処理及び溶融処理の両方を行う設備である。投入した廃棄物は熱分解され、ガスと残渣に分離される。ガスは可燃性ガスを多量に含み二次燃焼室で燃焼され、ボイラやエコノマイザで熱回収された後、サイクロンで比較的粗いダストが除去される。さらに、減温装置で冷却され、有害物質除去剤との反応により有害ガスが除去され、集塵機で除塵処理され煙突から放散される。また、熱分解残渣は、炉内を下方に移動し、炉下部の高温燃焼帯で溶融され、スラグとメタルとして排出される。
【０００８】
一方、廃棄物を燃料として燃焼処理する技術として、廃棄物を加工して廃棄物固形燃料（Refuse Derived Fuel、以下「ＲＤＦ」という）として燃焼し、発生熱エネルギーを利用してボイラで蒸気発生させ発電することが行われている。ＲＤＦは家庭から分別収集した可燃性のゴミ（生ゴミ、紙ゴミ、プラスチックなど）などの廃棄物を破砕、乾燥し、石灰などを加えて練り上げ、ペレット状に圧縮・成型した固形燃料である。
【０００９】
図３は、ＲＤＦを燃焼処理するためのガス化溶融炉を備える従来のガス化溶融装置を示す図である。ガス化溶融炉１は、ＲＤＦを熱分解及び部分酸化させてガス化し残渣を溶融するシャフト式廃棄物ガス化溶融炉である。該ガス化溶融炉１の全体形状は、竪型で円筒形状に形成され、上部が拡径された形状になっている。ガス化溶融炉１の上端部近くにはガス出口１Ａが設けられ、ガス化溶融炉１の下部には溶融スラグ排出口１Ｂが設けられている。
【００１０】
ガス化溶融炉１の炉体の機能は大別して縦方向に３つに区分されている。すなわち、炉底部にコークスを堆積させた高温燃焼帯が設けられ、この高温燃焼帯の上にＲＤＦ堆積層が設けられ、拡径された部分である上部には大きな空間を有するフリーボード部が設けられている。
【００１１】
そして、上記各部では酸素含有ガスの吹込みが行われる。炉下部の高温燃焼帯が形成される位置にはコークスを燃焼させる空気又は酸素富化空気（以下、「酸素含有ガス」という）を吹込むための複数の主羽口１Ｃが設けられている。主羽口１Ｃには、送風配管２０が接続されており、該送風配管２０には主羽口１Ｃへ酸素含有ガスを送風する送風機２１が接続されている。送風機２１により取り入れられた空気には酸素が供給され、該空気は酸素富化空気として主羽口１Ｃから高温燃焼帯へ吹込まれる。高温燃焼帯の上にはＲＤＦ堆積層が形成され、投入されたＲＤＦを流動化させると共に熱分解及び部分酸化させる空気を吹込むための複数の副羽口１Ｄが設けられている。また、フリーボード部には炉下部で生成した熱分解ガス（可燃性ガス）を部分燃焼させる空気を吹き込むための複数の三段目羽口１Ｅが設けられている。
【００１２】
ガス化溶融炉１の炉上部には、ＲＤＦ、副資材としてのコークス及び石灰石を該ガス化溶融炉１内に投入するＲＤＦ・副資材供給装置としての供給装置２が設けられている。該供給装置２は、ＲＤＦ貯留タンク（図示せず）から供給されたＲＤＦを搬送するＲＤＦ搬送コンベヤ２Ａと、該ＲＤＦ搬送コンベヤ２Ａの下方に位置し該ＲＤＦ搬送コンベヤ２Ａによって搬送されたＲＤＦを貯留するＲＤＦ供給ホッパ２Ｂと、該ＲＤＦ供給ホッパ２Ｂの下部に設けられ定量的かつ連続的にＲＤＦを後述のＲＤＦ・副資材投入コンベヤ２Ｅに供給するフィーダ２Ｃと、該フィーダ２Ｃから供給されたＲＤＦを落下供給させるシュート２Ｆと、副資材としてのコークス及び石灰石を搬送し該副資材を後述のＲＤＦ・副資材投入コンベヤ２Ｅに供給する副資材搬送コンベヤ２Ｄと、フィーダ２Ｃから供給されたＲＤＦ及び副資材搬送コンベヤ２Ｄから供給された副資材を搬送してガス化溶融炉１内に投入するＲＤＦ・副資材投入コンベヤ２Ｅと、溶融炉１の炉頂に接続されガス化溶融炉１内へのＲＤＦ及び副資材を落下供給させるシュート２Ｇとを有している。シュート２Ｇとガス化溶融炉１の接続口部との間にはダブルフラップダンパ２Ｈが設けられており、該ダブルフラップダンパ２Ｈが炉内ガスをシールするようになっている。
【００１３】
ガス化溶融炉１のガス出口１Ａの下流側にはガス化溶融炉１から排出された可燃性ガスを燃焼させる二次燃焼室３が設置され、二次燃焼室３の下流側には熱回収装置としてのボイラ４が設置されている。さらに、ボイラ４の下流側には、排ガス中の比較的粗いダストを除去するサイクロン５が設置され、その下流側には熱回収された排ガスを該排ガスの浄化処理に適する温度まで冷却するガス冷却器としての減温塔６が設置されている。また、減温塔６の下流側にはバグフィルタ７が設置され、減温塔６とバグフィルタ７との間で排ガス中の酸性ガスを中和させるアルカリ剤が該排ガス中に吹き込まれるようになっている。そして、該バグフィルタ７の下流側には、該バグフィルタ７で集塵処理された排ガスを外部へ放出するための煙突８が設けられている。また、バグフィルタ７で集塵された集塵灰に重金属類の溶出を防止する安定化処理を施す安定化処理装置９が設けられている。安定化処理装置９により安定化処理を施された集塵灰は埋立処分場に埋立処分される。
【００１４】
ガス化溶融炉１で発生したガスが二次燃焼室３、ボイラ４、サイクロン５、減温塔６を経てバグフィルタ７へ到達するまでの間において、排ガス中に含まれる灰を主な成分とするダストのうち、比較的粗いダストがそれぞれの装置内に落下する。以下、ガス化溶融炉１とバグフィルタ７との間に配置された各装置内に落下したダストを「落下灰」という。
【００１５】
図３に示されるガス化溶融装置には、上記各装置から落下灰を抜き出して、ガス化溶融炉１の主羽口１Ｃから酸素含有ガスとともに該落下灰を高温燃焼帯へ吹き込むための落下灰回収吹込装置１０が設けられている。該落下灰回収吹込装置１０によりガス化溶融炉１内へ吹き込まれた落下灰は高温燃焼帯で溶融してスラグ化される。この結果、ガス化溶融炉１で発生したダストのうち落下灰はスラグ化され、バグフィルタ７で集塵された集塵灰が埋立処分されることになるため、発生ダスト全量を埋立処分することに比べて埋立処分量が削減されるので、埋立処分場の負荷が軽減される。
【００１６】
落下灰回収吹込装置１０は、落下灰を搬送する落下灰搬送コンベヤ１１と、該落下灰を受けて貯留する落下灰貯槽１２と、定量的に該落下灰を切り出すロータリバルブ１３と、該落下灰を輸送する空気輸送装置１４と、該空気輸送装置１４により輸送された該落下灰を貯留するとともに定量的に切り出す落下灰切出装置１５と、該落下灰切出装置１５に切り出されシュート１８及びゲート弁１９を経て送風配管２０に供給された該落下灰を酸素含有ガスとともに主羽口１Ｃへ送風して落下灰をガス化溶融炉１内に吹き込む吹込装置としての送風機２１とを有している。また、上記落下灰切出装置１５は、落下灰を貯留する落下灰ホッパ１６と該落下灰を所定量で切り出すロータリバルブ１７とから成っている。
【００１７】
上述のように構成されたガス化溶融炉１におけるＲＤＦのガス化溶融処理は次のように行なわれる。
【００１８】
まず、ＲＤＦ、コークス及び石灰石とがそれぞれ計量され、供給装置２によって、ガス化溶融炉１内へ投入される。ガス化溶融炉１へ投入されたもののうち、コークスは炉底部に堆積し、ここに主羽口１Ｃから酸素含有ガスが吹き込まれる。
【００１９】
この酸素含有ガスの吹き込みによりコークスが燃焼し、高温燃焼帯が形成される。投入されたＲＤＦは高温燃焼帯の上方で、副羽口１Ｄから吹き込まれる空気によって流動しながら滞留して流動化層を形成する。ＲＤＦは流動化している間に予熱され、熱分解して可燃性ガスを発生する。
【００２０】
ＲＤＦの熱分解残渣は、高温燃焼帯で溶融され、溶融スラグとなり炉底部の溶融スラグ排出口１Ｂから排出される。
【００２１】
一方、ＲＤＦの熱分解により生成した可燃性ガスは、フリーボード部において、三段目羽口１Ｅから空気を吹き込まれて部分燃焼し、ガス出口１Ａから排出される。ガス出口１Ａから排出された可燃性ガスは、二次燃焼室３で二次燃焼用空気が吹き込まれて燃焼した後、ボイラ４へ送られて熱回収される。熱回収された排ガスはサイクロン５で該排ガス中の比較的粗いダストが除去され、さらに減温塔６で水を噴霧されて２００℃以下程度に冷却される。
【００２２】
次いで、排ガスは、酸性ガスを除去するためのアルカリ剤を吹き込まれた後、バグフィルタ７へ送られて集塵処理される。集塵処理された排ガスは、煙突８から外部へ放出される。また、バグフィルタ７で集塵された集塵灰は、安定化処理装置９によって、重金属溶出を防止するための安定化処理が施された後、埋立処分される。
【００２３】
ガス化溶融炉１からの排ガスがバグフィルタ７へ到達するまでの間に、二次燃焼室３、ボイラ４、サイクロン５及び減温塔６で落下した落下灰は、各装置の下方に位置する落下灰搬送コンベヤ１１によって抜き出されて落下灰貯槽１２へ搬送される。該落下灰貯槽１２に貯留された落下灰は下部に設けられたロータリバルブ１３によって切り出され、ガス化溶融炉１の周辺に設けられた落下灰切出装置１５へ空気輸送装置１４によって輸送される。該落下灰切出装置１５のロータリバルブ１７によって切り出された落下灰は、シュート１８及びゲート弁１９を経て送風配管２０に供給され、送風機２１によって酸素含有ガスとともに主羽口１Ｃへ送風される。そして、該落下灰は、ガス化溶融炉１の高温燃焼帯へ吹き込まれ、溶融されてスラグ化される。
【先行技術文献】
【特許文献】
【００２４】
【特許文献１】特開平９−６０８３０
【発明の概要】
【発明が解決しようとする課題】
【００２５】
ＲＤＦをガス化溶融炉によりガス化溶融処理する場合に、以下の問題がある。ＲＤＦは、家庭から分別収集した可燃性のゴミ（生ゴミ、紙ゴミ、プラスチックなど）などの廃棄物から金属類やがれき類などを取り除き、破砕した後、乾燥機にて水分除去して、石灰などを加えて練り上げ、成形機で圧縮・成形して製造される。このとき、成形機の型穴を通過する際に円柱状の固形物表面が摩擦熱で加熱され、表面のプラスチックなどが一部溶融して表面が固化しチョーク状の形に成形される。
【００２６】
ＲＤＦは、このように成形機にて表面だけを溶融固化された成形体であるので、搬送や貯留するときにこすられたり、供給装置のシュートへ投入される際に割れたり削れたりして、粉状の粉化物が生じやすい。したがって、ＲＤＦをガス化溶融炉に供給する際には、ＲＤＦの固形物とともに比較的多くの粉化物が炉内へ投入されることとなる。図３では、ＲＤＦの固形物が符号Ｒで、粉化物が符号Ｓで示されている。
【００２７】
ＲＤＦの粉化物Ｓは非常に軽質であるため、ガス化溶融炉内へ投入されても、図３に示されているように炉内から排出される排ガスの流れに同伴され、そのほとんどがガス化溶融炉内で落下することなく、二次燃焼室へ運ばれることとなる。
【００２８】
このため、本来ガス化溶融炉内でガス化溶融処理されるＲＤＦの量が少なくなり、可燃性ガスの発生量が低下するという問題や、二次燃焼室以降の下流側に飛散していく飛灰量が多くなり、バグフィルタで捕集される集塵灰量が多くなる結果、安定化処理や埋立処理する集塵灰量が多くなるので処理コストが嵩むという問題がある。
【００２９】
本発明は、上述のような課題を解決するためになされたもので、ＲＤＦをガス化溶融炉によりガス化溶融処理する際に、ＲＤＦの粉化物がガス化溶融炉から下流側に飛散することを防止し、ガス化溶融炉内でガス化溶融処理されるＲＤＦの量を低下させることがないガス化溶融装置とその操業方法を提供することを目的とする。
【課題を解決するための手段】
【００３０】
＜第一発明＞
本発明に係るガス化溶融装置は、炉下部に高温燃焼帯が形成され、高温燃焼帯に酸素含有ガスを吹き込む羽口と、廃棄物固形燃料を炉内へ供給する廃棄物固形燃料供給装置と、廃棄物固形燃料を熱分解及び部分酸化すると共に残渣を溶融するガス化溶融炉とを有する。
【００３１】
かかるガス化溶融装置において、本発明では、廃棄物固形燃料の粉化物を回収する粉化物回収装置と、粉化物回収装置により回収された廃棄物固形燃料の粉化物を、羽口から高温燃焼帯に吹き込む吹込装置とを備えることを特徴としている。
【００３２】
本発明では、廃棄物固形燃料の粉化物は、粉化物回収装置により回収され、吹込装置によりガス化溶融炉の高温燃焼帯に吹き込まれて、該高温燃焼帯で残渣とともに溶融される。このように、廃棄物固形燃料の粉化物を回収してガス化溶融炉内へ吹き込むことにより、ガス化溶融炉の下流側へ飛散する粉化物の量が大幅に削減されるとともに、ガス化溶融炉内でガス化溶融処理される廃棄物固形燃料の量が低下することが防止される。また、ガス化溶融炉の下流側へ飛散する粉化物の量が削減される分、埋立処分される集塵灰量も削減される。
【００３３】
ガス化溶融炉から排出された排ガスから落下灰を回収する落下灰回収装置をさらに備え、吹込装置は、廃棄物固形燃料の粉化物とともに、落下灰回収装置により回収された落下灰を羽口から高温燃焼帯に吹き込むことが好ましい。このように、廃棄物固形燃料の粉化物に加え、落下灰回収装置により回収された落下灰をもガス化溶融炉内へ吹き込むことにより、落下灰を埋立処分する必要がなくなる分、埋立処分される集塵灰量がさらに削減される。
【００３４】
ガス化溶融炉の周囲及びガス化溶融炉に供給する副資材の搬送設備の少なくとも一つからダストを集塵する環境集塵装置をさらに備え、吹込装置は、廃棄物固形燃料の粉化物とともに、環境集塵装置により集塵したダストを羽口から高温燃焼帯に吹き込むことが好ましい。このように、廃棄物固形燃料の粉化物に加え、環境集塵装置により集塵したダストをもガス化溶融炉内へ吹き込むことにより、ダストを埋立処分する必要がなくなる分、埋立処分される集塵灰量がさらに削減される。
【００３５】
＜第二発明＞
本発明に係るガス化溶融装置の操業方法は、炉下部に高温燃焼帯が形成され、高温燃焼帯に酸素含有ガスを吹き込む羽口を有し、廃棄物固形燃料を熱分解及び部分酸化すると共に残渣を溶融する。
【００３６】
かかるガス化溶融装置の操業方法において、本発明では、廃棄物固形燃料を炉内へ供給する際に廃棄物固形燃料の粉化物を回収する粉化物回収工程と、粉化物回収工程により回収された廃棄物固形燃料の粉化物を羽口から高温燃焼帯に吹き込む吹込工程とを有することを特徴としている。
【００３７】
本発明では、廃棄物固形燃料の粉化物は、粉化物回収工程にて回収され、吹込工程にてガス化溶融炉の高温燃焼帯に吹き込まれて、該高温燃焼帯で残渣とともに溶融される。このように、廃棄物固形燃料の粉化物を回収してガス化溶融炉内へ吹き込むことにより、ガス化溶融炉の下流側へ飛散する粉化物の量が大幅に削減されるとともに、ガス化溶融炉内でガス化溶融処理される廃棄物固形燃料の量が低下することが防止される。また、ガス化溶融炉の下流側へ飛散する粉化物の量が削減される分、埋立処分される集塵灰量も削減される。
【００３８】
吹込工程にて、廃棄物固形燃料の粉化物とともに、ガス化溶融炉から排出された排ガスから回収された落下灰を羽口から高温燃焼帯に吹き込むことが好ましい。このように、廃棄物固形燃料の粉化物に加え、回収された落下灰をもガス化溶融炉内へ吹き込むことにより、落下灰を埋立処分する必要がなくなる分、埋立処分される集塵灰量がさらに削減される。
【００３９】
吹込工程にて、廃棄物固形燃料の粉化物とともに、ガス化溶融炉の周囲及びガス化溶融炉に供給する副資材の搬送設備の少なくとも一つから集塵したダストを羽口から高温燃焼帯に吹き込むことが好ましい。このように、廃棄物固形燃料の粉化物に加え、集塵したダストをもガス化溶融炉内へ吹き込むことにより、ダストを埋立処分する必要がなくなる分、埋立処分される集塵灰量がさらに削減される。
【発明の効果】
【００４０】
本発明によれば、廃棄物固形燃料をガス化溶融炉によりガス化溶融処理する際に、廃棄物固形燃料の粉化物がガス化溶融炉の下流側に飛散することを防止し、ガス化溶融炉内でガス化溶融処理される廃棄物固形燃料の量を低下させることなく効率の良いガス化溶融処理を行うことができる。また、従来はガス化溶融炉の下流側に飛散していた廃棄物固形燃料の粉化物の量を大幅に削減できるので、その分、埋立処分する集塵灰量が削減でき、その結果、埋立処分場の負荷を軽減できるとともに処理コストを低減できる。さらに、廃棄物固形燃料の粉化物を回収してガス化溶融炉内に吹き込むことにより、本来ガス化溶融炉内へ供給すべき廃棄物固形燃料の全量に近い量を供給することができるので、従来よりも可燃性ガスの発生量を増加させることができる。また、従来に比べて熱源が増加するので、その分、コークス量を削減することができる。
【図面の簡単な説明】
【００４１】
【図１】実施形態に係るガス化溶融装置を示す図である。
【図２】図１のガス化溶融装置の一部拡大図である。
【図３】従来のガス化溶融装置を示す図である。
【発明を実施するための形態】
【００４２】
以下、添付図面に基づいて本発明に係るガス化溶融炉の実施形態を説明する。
【００４３】
図１は、本実施形態に係るガス化溶融装置を示す図である。本実施形態に係るガス化溶融装置は、図３を用いて既述した従来のガス化溶融装置に、ＲＤＦの粉化物を回収する装置（粉化物回収装置）及びガス化溶融炉１の周囲や副資材搬送コンベヤ２Ｄで発生したダストを回収する装置（環境集塵装置）、そして回収したＲＤＦの粉化物及びダストをガス化溶融炉１内に吹き込む装置（吹込装置）を設けることにより構成されている。本実施形態では、上記粉化物を回収する装置及びダストを回収する装置そして該粉化物及びダストを吹き込む装置の構成を中心に説明し、従来のガス化溶融装置と同一の部分については同一符号を付して説明を省略する。
【００４４】
＜環境集塵装置＞
ガス化溶融炉１の周囲や副資材搬送コンベヤ２Ｄで発生したダストを回収する装置（環境集塵装置）について説明する。環境集塵装置は以下に記載する各装置からなる。図１に示されるように、副資材搬送コンベヤ２Ｄには該副資材搬送コンベヤ２Ｄで発生するダストを回収するためのフード３１が設けられており、ガス化溶融炉１の近傍には該ガス化溶融炉１の周囲で発生するダストを回収するためのフード３２が設けられている。フード３２はガス化溶融炉１の近傍に複数設けられているが、図１では一つを示し他の図示を省略している。以下、副資材搬送コンベヤ２Ｄ及びガス化溶融炉１の周囲で発生するダストを「環境集塵ダスト」という。
【００４５】
また、本実施形態に係るガス化溶融装置では、吸引ファン（図示せず）の駆動により環境集塵ダストを集塵する環境集塵機３３が設けられており、上記フード３１，３２はそれぞれダクトによって該環境集塵機３３と接続されている。環境集塵機３３としてはバグフィルタ等のろ過集塵機を用いる。ガス化溶融炉１の周囲や副資材搬送コンベヤ２Ｄで発生したダストがフード３１，３２から吸引され、それぞれダクトを通って環境集塵機３３で集塵され回収される。
【００４６】
＜粉化物回収装置＞
ＲＤＦの粉化物を回収する装置（粉化物回収装置）について説明する。粉化物回収装置は以下に記載する各装置からなる。ＲＤＦ・副資材投入コンベヤ２Ｅからガス化溶融炉１内へＲＤＦ及び副資材を落下投入させるシュート２Ｇの側壁に粉化物を回収するための集塵空気を取り入れる集塵空気取入口２Ｇ−１が設けられ、環境集塵機３３により吸引する空気が集塵空気取入口２Ｇ−１から取り入れられるようになっている。また、該集塵空気取入口２Ｇ−１には、環境集塵機３３により集塵空気取入口２Ｇ−１から吸引される吸引空気量を調整するためのダンパ３４が設けられている。
【００４７】
ＲＤＦ供給ホッパ２ＢからＲＤＦ・副資材投入コンベヤ２ＥへＲＤＦを落下させるシュート２Ｆの側壁には、ＲＤＦの粉化物を回収するための粉化物吸入口２Ｆ−１が設けられている。該粉化物吸入口２Ｆ−１はダクトによって環境集塵機３３と接続されており、該環境集塵機３３によって、ＲＤＦ・副資材投入コンベヤ２Ｅ上のＲＤＦの粉化物及びシュート２Ｆ及び２Ｇ内を落下するＲＤＦの粉化物が吸引され回収されるようになっている。すなわち、本実施形態では、環境集塵機３３は、環境集塵ダストの回収装置の集塵装置としてだけでなく、ＲＤＦ粉化物の回収装置の集塵装置としても機能する。また、環境集塵機３３により回収したＲＤＦ粉化物と環境集塵ダストを落下灰貯槽１２に搬送する搬送装置３５が設けられている。搬送装置３５としては空気輸送装置や搬送コンベア等を用いることができる。
【００４８】
図２は、図１のガス化溶融装置のうちシュート２Ｆからシュート２Ｇへ至る部分を示す拡大図である。同図に示されるように、ＲＤＦは、固形物Ｒと該固形物Ｒが粉化した粉化物Ｓとが混在した状態でシュート２Ｆを落下する。そして、集塵空気取入口２Ｇ−１から取り込まれた空気により、ＲＤＦの粉化物Ｓだけが該空気の流れに同伴して粉化物吸入口２Ｆ−１を経て環境集塵機３３に吸引される。
【００４９】
このように、本実施形態では、シュート２Ｇの側壁に集塵空気取入口２Ｇ−１が設置されているので、シュート２Ｆで捕集しきれなかったＲＤＦの粉化物を捕集することができ、また、ＲＤＦ・副資材投入コンベヤ２Ｅ上で浮遊するＲＤＦ粉化物も回収することができる。
【００５０】
本実施形態では、ダンパ３４の開度が調整されることにより、集塵空気取入口２Ｇ−１からの吸引空気量、換言すると吸引風速が調整される。そして、吸引空気量の調整によって、ＲＤＦの粉化物と固形物とが風力選別され、粉化物のみが環境集塵機３３に吸引されるようになっている。また、本実施形態では、ＲＤＦの固形物と粉化物がバラバラの状態で落下するので、ＲＤＦの粉化物を効率良く風力選別して環境集塵機３３で吸引することができる。
【００５１】
発明者は、ＲＤＦの粉化物の粒度分布を調べ、粉化物と固形物とを風力選別することができる風速を検討した。吸引ダクト内の風速が速過ぎると、比較的大きな固形物まで吸引してしまうが、風速を６ｍ／ｓ以下に抑えることで、粉化物のみを選択して吸引することができることを確認した。したがって、環境集塵機３３への吸込みダクト内の風速が６ｍ／ｓ以下になるようにダンパ３４の開度を調整して吸引空気量を調整することが好ましい。
【００５２】
＜吹込装置＞
回収したＲＤＦの粉化物及び環境集塵ダストをガス化溶融炉１内に吹き込む装置（吹込装置）について説明する。本実施形態では、上記吹込装置を落下灰回収吹込装置１０と共用するようにしており、ＲＤＦの粉化物と環境集塵ダストを落下灰とともにガス化溶融炉１内に吹き込む。環境集塵機３３により回収されたＲＤＦの粉化物及び環境集塵ダストは、搬送装置３５により落下灰貯槽１２へ搬送され、落下灰とともに空気輸送装置１４により落下灰切出装置１５へ輸送される。該落下灰切出装置１５により切り出されたＲＤＦの粉化物、環境集塵ダスト及び落下灰は、シュート１８、ゲート弁１９を経て、主羽口１Ｃへ酸素含有ガスを送風する送風配管２０内に供給され、送風機２１により送風される酸素含有ガスとともに主羽口１Ｃから高温燃焼帯へ吹き込まれた後、ＲＤＦの熱分解残渣とともに溶融されスラグ化される。
【００５３】
本実施形態によれば、ＲＤＦの粉化物がガス化溶融炉１の下流側に飛散することが防止されるので、ガス化溶融炉１内でガス化溶融処理されるＲＤＦの量を低下させることなく、効率良くガス化溶融処理を施すことができる。また、従来はガス化溶融炉１の下流側に飛散していたＲＤＦの粉化物の量が大幅に削減されるので、埋立処分する集塵灰量を削減でき、その結果、埋立処分場の負荷を軽減できるとともに処理コストを低減できる。さらに、ＲＤＦの粉化物を回収してガス化溶融炉１内に吹き込むことにより、本来ガス化溶融炉１内へ供給すべきＲＤＦの全量に近い量を供給することができるので、従来よりも可燃性ガスの発生量を増加させることができる。また、従来に比べて熱源が増加するので、その分、コークス量を削減することができる。
【００５４】
また、本実施形態では、ＲＤＦの粉化物を環境集塵ダストとともに環境集塵機３３で吸引し、また、ＲＤＦの粉化物及び環境集塵ダストを落下灰とともに、送風機２１により送風される酸素含有ガスとともに主羽口からガス化溶融炉１に吹き込むこととした。このように、ＲＤＦの粉化物、環境集塵ダスト及び落下灰の吸引手段や吹込手段を共用することにより、ＲＤＦの粉化物、環境集塵ダスト及び落下灰の吸引手段や吹込手段をそれぞれ別個に設ける場合と比較して、設備の面積を小さくできるとともに、設備費用を低く抑えることができる。なお、ＲＤＦの粉化物、環境集塵ダスト及び落下灰の吸引手段や吹込手段をそれぞれ別個に設けてもよいことは言うまでもない。
【符号の説明】
【００５５】
１  ガス化溶融炉
１Ｃ  主羽口（羽口）
２  供給装置（廃棄物固形燃料・副資材供給装置）
１０  落下灰回収吹込装置
２１  送風機
３３  環境集塵機
【図１】
2011122805.tif 000003
【図２】
2011122805.tif 000004
【図３】
2011122805.tif 000005